(57)【特許請求の範囲】
【請求項１】
第１セルのリソース・ブロックにおける複数の第１リソース・エレメントのうち、少なくとも一つのリソース・エレメントに端末固有の復調参照信号を配置する配置工程と、
配置された前記復調参照信号を前記端末に送信する送信工程と、
を有し、
前記復調参照信号が配置される前記リソース・エレメントは、前記第１セルとは異なる第２セルのリソース・ブロックにおける複数の第２リソース・エレメントのうち、チャネル状態情報参照信号が配置されたリソース・エレメントと同一の時間周波数である、
参照信号配置方法。
【請求項２】
前記複数の第１リソース・エレメントのうち、前記複数の第２リソース・エレメントにおける前記チャネル状態情報参照信号が配置されたリソース・エレメントと同一の時間周波数であるリソース・エレメントでは、データがパンクチャリングされる、又は、データが送信されない、
請求項１に記載の参照信号配置方法。
【請求項３】
前記復調参照信号が配置される前記リソース・エレメントは、前記複数の第２リソース・エレメントにおいて前記チャネル状態情報参照信号が配置された少なくとも２つのリソース・エレメントのうち、１つのリソース・エレメントと同一の時間周波数である、
請求項１又は２に記載の参照信号配置方法。
【請求項４】
前記復調参照信号が配置される前記リソース・エレメントは、前記複数の第２リソース・エレメントにおいて前記チャネル状態情報参照信号が配置された少なくとも２つのリソース・エレメントのうち、１つのリソース・エレメントと同一の時間周波数であり、
前記複数の第１リソース・エレメントのうち、前記少なくとも２つのリソース・エレメントにおける他のリソース・エレメントと同一の時間周波数であるリソース・エレメントでは、データがパンクチャされる、又は、データが送信されない、
請求項１に記載の参照信号配置方法。
【請求項５】
前記第２セルにおいて、複数のアンテナポートのそれぞれのリソース・ブロックに前記チャネル状態情報参照信号が配置され、
前記復調参照信号が配置される前記リソース・エレメントは、前記複数のアンテナポートのうち、一つのアンテナポートのリソース・ブロックにおける前記チャネル状態情報参照信号が配置されたリソース・エレメントと同一の時間周波数である、
請求項１から４のいずれかに記載の参照信号配置方法。
【請求項６】
前記復調参照信号が配置される前記リソース・エレメントは、時間とともに変わる、
請求項１から５のいずれかに記載の参照信号配置方法。
【請求項７】
前記第１セルは、前記第２セルとの協調送信を行う、
請求項１から６のいずれかに記載の参照信号配置方法。
【請求項８】
第１セルのリソース・ブロックにおける複数の第１リソース・エレメントのうち、少なくとも一つのリソース・エレメントに端末固有の復調参照信号を配置する割当手段と、
配置された前記復調参照信号を前記端末に送信する送信手段と、
を有し、
前記復調参照信号が配置される前記リソース・エレメントは、前記第１セルとは異なる第２セルのリソース・ブロックにおける複数の第２リソース・エレメントのうち、チャネル状態情報参照信号が配置されたリソース・エレメントと同一の時間周波数である、
基地局装置。
【請求項９】
前記複数の第１リソース・エレメントのうち、前記複数の第２リソース・エレメントにおける前記チャネル状態情報参照信号が配置されたリソース・エレメントと同一の時間周波数であるリソース・エレメントでは、データがパンクチャリングされる、又は、データが送信されない、
請求項８に記載の基地局装置。
【請求項１０】
前記復調参照信号が配置される前記リソース・エレメントは、前記複数の第２リソース・エレメントにおいて前記チャネル状態情報参照信号が配置された少なくとも２つのリソース・エレメントのうち、１つのリソース・エレメントと同一の時間周波数である、
請求項８又は９に記載の基地局装置。
【請求項１１】
前記復調参照信号が配置される前記リソース・エレメントは、前記複数の第２リソース・エレメントにおいて前記チャネル状態情報参照信号が配置された少なくとも２つのリソース・エレメントのうち、１つのリソース・エレメントと同一の時間周波数であり、
前記複数の第１リソース・エレメントのうち、前記少なくとも２つのリソース・エレメントにおける他のリソース・エレメントと同一の時間周波数であるリソース・エレメントでは、データがパンクチャされる、又は、データが送信されない、
請求項８に記載の基地局装置。
【請求項１２】
前記第２セルにおいて、複数のアンテナポートのそれぞれのリソース・ブロックに前記チャネル状態情報参照信号が配置され、
前記復調参照信号が配置される前記リソース・エレメントは、前記複数のアンテナポートのうち、一つのアンテナポートのリソース・ブロックにおける前記チャネル状態情報参照信号が配置されたリソース・エレメントと同一の時間周波数である、
請求項８から１１のいずれかに記載の基地局装置。
【請求項１３】
前記復調参照信号が配置される前記リソース・エレメントは、時間とともに変わる、
請求項８から１２のいずれかに記載の基地局装置。
【請求項１４】
前記第１セルは、前記第２セルとの協調送信を行う、
請求項８から１３のいずれかに記載の基地局装置。
【発明の詳細な説明】
【技術分野】
【０００１】
本発明は通信分野に関し、より具体的には、参照信号配置方法および基地局装置に関する。
【背景技術】
【０００２】
ＯＦＤＭ（直交周波数分割多重）に基づくマルチアンテナの現代の無線通信システム、例えば設計中のＬＴＥ−Ａ（Long Term Evolution-Advanced）にとって、下りジョイント伝送（DL joint transmission）は下り複数基地局協調技術の内で重要な技術である。下りジョイント伝送とは、複数の基地局から同一のデータストリームを端末に協調送信することであり、それぞれの基地局は特定のビームで端末に向いている。最適なシステム性能を達成するために、下りジョイント伝送においては、どのように各基地局に対して最適電力割当を行うかという問題が存在する。この種の最適電力割当方法は一般に、端末が各基地局からの受信電力を測定し、最適電力割当の根拠としてサービング基地局にフィードバックできることを必要とする。図１に下りジョイント伝送の例示的なシステムの枠組みを示す。図１に示すように、同一のデータが基地局ＢＳ１およびＢＳ２から送信され、それぞれビーム形成を経て端末に到達する。端末は受信電力をサービング基地局（ＢＳ１）にフィードバックし、その後、サービング基地局は好適な電力割当方式Ｐ１およびＰ２を決定する（総送信電力は一定であると仮定する：Ｐ１＋Ｐ２＝Ｐ）。
【０００３】
ＯＦＤＭに基づくマルチアンテナシステムにおいては、二種類の参照信号が存在する。一つはチャネル状態情報参照信号（Channel state information reference signal, ＣＳＩ−ＲＳ）であり、もう一つは復調参照信号（demodulation reference signal, ＤＭ−ＲＳ）である。
【０００４】
ＣＳＩ−ＲＳはセルに固有であり（cell-specific）、ユーザ装置に対してプリコーディング処理が行われていないセルのチャネル状態を表すために用いられる。各セルの基地局が時間周波数リソースが互いに同一であるリソースブロックをそれぞれ用いて端末にデータを伝送する際は、それぞれのリソースブロック中に対応セルの少なくとも２つのＣＳＩ−ＲＳが設置されている。下り複数基地局協調に適応するために、あるセルは隣接セルのＣＳＩ−ＲＳに対応する位置でデータ伝送をパンクチャリングし（puncture）、すなわち、隣接セルのＣＳＩ−ＲＳに対応するリソース上ではいかなるデータも伝送しない。このようなパンクチャリング技術がもたらす結果として、（パンクチャリング位置ではいかなるデータも伝送しないため）システムに余分なオーバーヘッドが増加しているが、隣接セルのＣＳＩ−ＲＳは厳格に直交性を保っているため、複数基地局協調にとってはチャネルの推定精度を向上させている。
【発明の概要】
【発明が解決しようとする課題】
【０００５】
ＣＳＩ−ＲＳとは異なり、ＤＭ−ＲＳはユーザ端末に固有であり（UE-specific）、その作用は端末の復調に用いられるというものである。ＤＭ−ＲＳは具体的な端末に対するものであるため、端末側でＤＭ−ＲＳに基づいて受信電力の検出を行うことが可能である。しかしながら、下りジョイント伝送においては、端末側はコヒーレント検出を用いるため、端末が検出した信号は複数の基地局からの重畳信号であり；異なる伝送基地局からのＤＭ−ＲＳは完全に同一のモードを有するため、端末側では、異なる伝送基地局のＤＭ−ＲＳも互いに重畳されている。コヒーレント検出については重畳されたＤＭ−ＲＳは妥当であるが、重畳されたＤＭ−ＲＳによって、端末は複数の基地局からの総受信電力のみを測定できるが、単一の基地局からの受信電力を測定することはできなくなっている。
【課題を解決するための手段】
【０００６】
本発明の１つの態様によれば、無線通信システムにおいて下りリンク受信電力を検出する方法を提供し、ここで、Ｎ個（Ｎは１より大きい整数）のセルは時間周波数リソースが互いに同一であるＮ個のリソースブロックにより少なくとも１つの受信端末にそれぞれデータを伝送し、それぞれのリソースブロック中には対応セルの複数のチャネル状態情報参照信号が設置されており、かつ、各セルのチャネル状態情報参照信号の間では直交性が保たれている。前記方法は：第１セルのリソースブロックにおける、もう１つのセルのリソースブロック中に設置された１つのチャネル状態情報参照信号に対応するパンクチャリング位置に、受信電力を表すための付加復調参照信号を設置することと；前記付加復調参照信号に基づいて、前記第１セルについての受信電力を検出することと、を含む。
【０００７】
本発明の他の態様によれば、無線通信システムを提供し、当該システムはＮ個（Ｎは１より大きい整数）の隣接セルを含み、前記Ｎ個の隣接セルそれぞれの基地局は、時間周波数リソースが互いに同一であるＮ個のリソースブロックを用いて少なくとも１つの受信端末にそれぞれデータを伝送し、それぞれのリソースブロック中には対応セルの複数のチャネル状態情報参照信号が設置されており、かつ、各セルのチャネル状態情報参照信号の間では直交性が保たれている。ここで、前記基地局は：その基地局が用いるリソースブロックにおける、もう１つの基站が用いるリソースブロック中に設置された１つのチャネル状態情報参照信号に対応するパンクチャリング位置に、受信電力を表すための付加復調参照信号を設置する復調参照信号割当手段と；前記復調参照信号割当手段からのリソースブロックを用いて、受信端末にデータを伝送する送信手段と、を含む。前記受信端末は：前記送信手段からのリソースブロック中の付加復調参照信号が設置されている位置において伝送された第１信号と、前記もう１つの基地局が用いるリソースブロック中に設置されたもう１つのチャネル状態情報参照信号の位置において伝送された第２信号とを検出する電力検出手段と；第１信号から第２信号を除去するとともに、これによって得られた信号に基づいて前記基地局からの受信電力を取得する受信電力取得手段と、を含む。
【発明の効果】
【０００８】
本発明によれば、ユーザ端末は下りジョイント伝送を行う単一の基地局の受信電力を検出することができる。さらに、サービング基地局は、ユーザ端末からフィードバックされる、各基地局に対する受信電力を根拠に、各伝送基地局に対して最適電力割当を行うことが可能である。
【図面の簡単な説明】
【０００９】
図面と本発明の実施例を組み合わせた以下の詳細な記述から、本発明のこれらの態様、および／またはその他の態様や優位性がより明確になり、より理解しやすくなる。ここで：
【図１】下りジョイント伝送の例示的なシステムの枠組みを示す。
【図２】本発明の実施例１による受信電力検出方法における、セルで用いられるリソースブロック中での参照信号の例示的な設置状況を示す。
【図３】本発明の実施例２による受信電力検出方法における、セルで用いられるリソースブロック中での参照信号の例示的な設置状況を示す。
【図４（ａ）】本発明の実施例２による受信電力検出方法を示すフロー図。
【図４（ｂ）】本発明の実施例２による受信電力検出方法を示すフロー図。
【図５】本発明の実施例３による受信電力検出方法における、セルで用いられるリソースブロック中での参照信号の例示的な設置状況を示す。
【図６（ａ）】本発明の実施例３による受信電力検出方法を示すフロー図。
【図６（ｂ）】本発明の実施例３による受信電力検出方法を示すフロー図。
【図７】本発明の実施例４による受信電力検出方法における、セルで用いられるリソースブロック中での参照信号の設置状況を示す。
【図８】本発明の実施例５による受信電力検出方法における、セルで用いられるリソースブロック中での参照信号の例示的な設置状況を示す。
【図９】本発明の実施例６による、同一セルの異なるアンテナポートのＣＳＩ−ＲＳに対応する複数のパンクチャリング位置上での付加ＤＭ−ＲＳの切換設置を示す概略図。
【図１０】本発明の実施例７による、異なるセル、および同一セルの異なるアンテナポートに対応するパンクチャリング位置上での付加ＤＭ−ＲＳの切換設置を示す概略図。
【図１１】本発明の実施例８による、異なるセル、および同一セルの異なるアンテナポートに対応するパンクチャリング位置上での付加ＤＭ−ＲＳの切換設置を示す概略図。
【図１２】本発明の実施例９による、異なる端末をＣＳＩ−ＲＳを含むリソースブロックにスケジューリングすることを示す概略図。
【図１３】本発明の実施例の受信電力検出方法を応用した無線通信システムにおける関連装置の図示。
【発明を実施するための形態】
【００１０】
以下、本発明の具体的な実施例について、図面を組み合わせて詳細に記述する。いくつかの関連する従来技術については、詳細な記述を考慮すると本発明の要点が曖昧になるおそれがあるため、ここでは詳細な記述は示さない。各実施例において、同一の機能を実行する素子または手段は、同一の符号を用いて示す。
【００１１】
（実施例１）
受信端末が下りジョイント伝送に参加する単一の基地局の受信電力を検出できるようにするために、比較的簡単な実現方法の１つは、セルの基地局が用いるリソースブロック中に１つのリソースエレメント（resource element, ＲＥ）を追加して、受信電力を表すＤＭ−ＲＳを表すために用い、かつ、追加されたこのＤＭ−ＲＳの他のセルのリソースブロック中での対応位置においてパンクチャリングを行うことである。対応位置でパンクチャリングを行うことにより、この追加されたＤＭ−ＲＳがセル間で直交性を保つため、端末は追加されたＤＭ−ＲＳから直接、セルの基地局からの受信電力を検出することができる。
【００１２】
図２は、上記の方式を応用した受信電力検出方法における、セルで用いられるリソースブロック中での参照信号の例示的な設置状況を示す。図２に示すように、セル１中のＢＳ１およびセル２中のＢＳ２は、時間周波数リソースが同一であるリソースブロック（以下、リソースブロック１およびリソースブロック２と称する）をそれぞれ用いて、端末にデータを送信する。前記時間周波数リソースが同一であるリソースブロックは、ＯＦＤＭ方式の変調を用いる。リソースブロック１および２中には対応セルの２つのＣＳＩ−ＲＳがそれぞれ設置されており、かつ、隣接セルのリソースブロック中の対応位置でパンクチャリングを行うことにより、セル１およびセル２のＣＳＩ−ＲＳ間は直交性が保たれる。また、リソースブロック１およびリソースブロック２においては、予め設けられた固有のＤＭ−ＲＳ以外に、受信電力を表すための１つの付加ＤＭ−ＲＳが設置されている。前記付加ＤＭ−ＲＳはセル間で直交しているため、端末はセル１およびセル２の付加ＤＭ−ＲＳから、セル１およびセル２からの受信電力を直接検出することができる。
【００１３】
（実施例２）
実施例１において公開した受信電力検出方法には、オーバーヘッドが増大するという欠点が存在する。図２に示すように、リソースブロック１および２はいずれも、付加ＤＭ−ＲＳのために２つのＲＥのオーバーヘッドが増加している。それ以前の固有ＤＭ−ＲＳが１つのリソースブロック中で１２個のＲＥを占めているため、このような付加ＤＭ−ＲＳを設置する方法はＤＭ−ＲＳのオーバーヘッドを１５％増加させている。
【００１４】
本実施例は上記の問題に対し受信電力検出方法の改善を行っている。図３は、本発明の実施例２による受信電力検出方法における、セルで用いられるリソースブロック中での参照信号の例示的な設置状況を示している。図３に示すように、本実施例においては、リソースブロック１および２中に受信電力を表すための１つの付加ＤＭ−ＲＳが設置されており、かつ、当該付加ＤＭ−ＲＳはリソースブロック中の他のセルのＣＳＩ−ＲＳに対応してパンクチャリングを行う位置に位置している。具体的には、リソースブロック１において、リソースブロック２中のＣＳＩ−ＲＳに対応してパンクチャリングを行う２つの位置の１つに付加ＤＭ−ＲＳを設置し；リソースブロック２において、リソースブロック１中のＣＳＩ−ＲＳに対応してパンクチャリングを行う２つの位置の１つに付加ＤＭ−ＲＳを設置する。図中に示すように、それぞれのセルには２つのＣＳＩ−ＲＳが設置され（実際には、２つ以上のＣＳＩ−ＲＳが設置可能である）、対応して、それぞれのリソースブロック中に２つのパンクチャリング位置がある。付加ＤＭ−ＲＳはそのうちの１つのパンクチャリング位置のみを占めているため、もう１つのＣＳＩ−ＲＳはセル間の直交性を保っており、ＣＳＩ−ＲＳを特定するために用いることができる。セル１については、付加されたＤＭ−ＲＳとセル２の１つのＣＳＩ−ＲＳは受信端末において混合されているが、セル２のもう１つのＣＳＩ−ＲＳは干渉を受けていないため、受信端末は混合された信号からセル２のＣＳＩ−ＲＳを除去することが可能であり、残ったものがセル１の付加ＤＭ−ＲＳである。さらに、端末はセル１の当該付加ＤＭ−ＲＳからセル１についての受信電力を取得することが可能である。類似的に、同様の方法により、セル２の受信電力を得ることが可能である。
【００１５】
図４（ａ）は、本発明の実施例２による受信電力検出方法のフロー図を示す。ステップＳ４１では、セル１のリソースブロック１において、セル２のリソースブロック２中に設置された１つのＣＳＩ−ＲＳに対応するパンクチャリング位置に、受信電力を表すための付加ＤＭ−ＲＳを設置し；ステップＳ４２では、受信端末はリソースブロック１中の付加ＤＭ−ＲＳが設置されている位置において伝送された信号を検出し；ステップＳ４３では、受信端末はリソースブロック２中のもう１つのＣＳＩ−ＲＳの位置において伝送された信号を検出し；ステップＳ４４では、ステップＳ４２において検出された信号からステップＳ４３において検出された信号を除去するとともに、これにより得られた信号に基づいてセル１の受信電力を取得する。説明が必要なのは、図３に示すように、リソースブロック２中には２つのＣＳＩ−ＲＳが設置されているため、リソースブロック１中にはそれに対応して２つのパンクチャリング位置がある、ということである。ステップＳ４１において、リソースブロック１の２つのパンクチャリング位置のうちいずれかのパンクチャリング位置において付加ＤＭ−ＲＳを設置する。
【００１６】
同様に、セル２に対してステップＳ４１〜Ｓ４４に対応する処理を行うことにより、セル２の受信電力を取得することが可能であり、ここではあらためて述べない。
【００１７】
以上、図３および図４（ａ）を参照して、２つのセルを例に本実施例による受信電力検出方法について説明した。実際には、本実施例に記載の方法は複数セルの場合に応用可能である。図４（ｂ）に示すように、複数セルの場合において、ステップＳ４１’では、任意に選択された第１セルのリソースブロック１において、もう１つのセルのリソースブロック２中に設置された１つのＣＳＩ−ＲＳに対応するパンクチャリング位置に、受信電力を表すための付加ＤＭ−ＲＳを設置し；ステップＳ４２’では、受信端末はリソースブロック１中の付加ＤＭ−ＲＳが設置されている位置において伝送された信号（すなわち、第１セルで設置された付加ＤＭ−ＲＳと前記もう一つのセルのＣＳＩ−ＲＳとの混合信号）を検出し；ステップＳ４３’では、受信端末はリソースブロック２中のもう１つのＣＳＩ−ＲＳの位置において伝送された信号（すなわち、前記もう１つのセルにおいて干渉を受けていないＣＳＩ−ＲＳ）を検出し；ステップＳ４４’では、ステップＳ４２’において検出された信号からステップＳ４３’において検出された信号を除去するとともに、これにより得られた信号に基づいて、任意に選択された第１セルの受信電力を取得する。上記のステップＳ４１’〜Ｓ４４’により、いずれかの単独のセルの受信電力を検出することができる。その後、類似の処理により他の各セルの受信電力を検出することが可能である。具体的には、ステップＳ４５’では、第１セル以外のそれぞれのセルのために、受信電力検出のための１つの基準セルを選択し、その後それぞれのセルについて、そのリソースブロックにおいて、選択された基準セルのリソースブロック中に設置された１つのＣＳＩ−ＲＳに対応するパンクチャリング位置に、付加ＤＭ−ＲＳを設置する。ステップＳ４６’では、第１セル以外のそれぞれのセルについて、受信端末はそのリソースブロック中の付加ＤＭ−ＲＳが設置されている位置において伝送された信号を検出する。ステップＳ４７’では、前記それぞれのセルについて、受信端末は当該セルのために選択された基準セルのリソースブロック中に設置されたもう１つのＣＳＩ−ＲＳの位置において伝送された信号を検出する。ステップＳ４８’では、前記それぞれのセルについて、ステップＳ４６’において検出された信号からステップＳ４７’において検出された信号を除去するとともに、こうして得られた信号に基づいて当該セルの受信電力を取得する。
【００１８】
説明が必要なのは、本実施例に記載の方法を複数セルに応用する場合には、それぞれのセルのいずれについても他のセルのリソースブロック中のＣＳＩ−ＲＳに対応する１つのパンクチャリング位置を任意に選択して付加ＤＭ−ＲＳを設置すれば、それぞれのセルの受信電力を取得できないという問題が生じる可能性がある、ということである。例えば、セル１、セル２およびセル３という３つのセルが存在し、かつ、それぞれのリソースブロック、すなわちリソースブロック１、リソースブロック２およびリソースブロック３中にいずれも２つのＣＳＩ−ＲＳが設置されていると仮定する。このような状況では、セル１について、そのリソースブロック１においてリソースブロック２中に設置された１つのＣＳＩ−ＲＳに対応するパンクチャリング位置に付加ＤＭ−ＲＳが設置されており、かつ、セル２について、そのリソースブロック２においてリソースブロック１中に設置された１つのＣＳＩ−ＲＳに対応するパンクチャリング位置に付加ＤＭ−ＲＳが設置されていれば、上述したステップＳ４２’〜Ｓ４４’およびＳ４６’〜Ｓ４８’によりセル１およびセル２の受信電力を取得することが可能である；しかしながら、セル３については、この場合そのリソースブロック中のいずれのパンクチャリング位置において付加ＤＭ−ＲＳを設置しても、上述したＳ４６’〜Ｓ４８’の処理を応用してセル３の受信電力を取得することはできない。このように、複数セルの環境においてそれぞれのセルの受信電力を取得したければ、適切なパンクチャリング位置を選択して付加ＤＭ−ＲＳを設置する必要がある。１つの可能な解決手段は、上述したステップＳ４５’において第１セルを除いたそれぞれのセルのために受信電力検出のための１つの基準セルを選択して、当該基準セルのリソースブロック中の１つのＣＳＩ−ＲＳに対応するパンクチャリング位置に付加ＤＭ−ＲＳを追加する際には、複数のセル（第１セルを含む）のうちのそれぞれのセルの複数のＣＳＩ−ＲＳについて、残りのセルのうち１つのセルのみでそのリソースブロック中の前記複数のＣＳＩ−ＲＳに対応する複数のパンクチャリング位置のうち１つの位置に付加ＤＭ−ＲＳを設置するという原則を守る、ということである。前記の原則は１つの例示に過ぎず、当業者が他の原則を守ることによって付加ＤＭ−ＲＳを設置するための適切なパンクチャリング位置を特定可能であることは、容易に理解される。また、実際には、上述したように前記のステップＳ４６’〜Ｓ４８’の処理を応用してセル３の受信電力を取得することができない場合であっても、後の実施例３および実施例５に述べるような方法によってセル３の受信電力を取得することが可能である。
【００１９】
本実施例においては、付加ＤＭ−ＲＳはもともとのパンクチャリング位置に位置していて新たなリソースエレメントを占めることがないため、余分なオーバーヘッドがもたらされることはない。
【００２０】
（実施例３）
実施例１における記載から、本発明により設置した付加ＤＭ−ＲＳを除いて、リソースブロック中の固有のＤＭ−ＲＳはいかなる影響も受けていないという事実を見出すことは難しくない。先に述べたように、端末側では、異なるセルからのリソースブロックの固有のＤＭ−ＲＳが互いに重畳されているため、端末は重畳された固有のＤＭ−ＲＳを検出することにより各セルからの総受信電力を取得することが可能である。この事実に基づいて、本発明の実施例３を提起する。
【００２１】
図５は、本発明の実施例３による受信電力検出方法における、セルで用いられるリソースブロック中での参照信号の例示的な設置状況を示している。図３と図５とを比較すると、本実施例と実施例２におけるリソースブロック中の参照信号設置の区別は以下の点にあることが理解できる：本実施例においては、リソースブロック１中にのみ１つの付加ＤＭ−ＲＳを設置しており、当該付加ＤＭ−ＲＳは、リソースブロック１においてリソースブロック２中のＣＳＩ−ＲＳに対応してパンクチャリングを行う２つの位置のうちの１つに位置している；それに対し、リソースブロック２においては、付加ＤＭ−ＲＳは設置されていない。このような状況で、セル１について、同様に実施例２において述べたステップＳ４１〜Ｓ４４に基づいてセル１についての受信電力を検出することが可能である。それに対し、セル２については、重畳された固有のＤＭ−ＲＳを検出して取得した総受信電力からセル１の受信電力を減じることにより、セル２からの受信電力を取得することが可能である。
【００２２】
図６（ａ）は、本発明の実施例３による受信電力検出方法のフロー図を示している。図６（ａ）におけるステップＳ６０１〜Ｓ６０４は、図４（ａ）におけるステップＳ４１〜Ｓ４４と完全に同一であり、ここではあらためて述べない。ステップＳ６０１〜Ｓ６０４によりセル１からの受信電力を取得した後に、必要に応じて、以下のステップによりセル２の受信電力を取得することが可能である。ステップＳ６０５では、前記リソースブロック１およびリソースブロック２中の対応する位置上に設置された固有のＤＭ−ＲＳを検出して、セル１および２からの総受信電力を取得する；ステップＳ６０６では、総受信電力からステップＳ６０４において取得されたセル１からの受信電力を減じることにより、セル２からの受信電力を取得する。
【００２３】
本実施例に記載の受信電力検出方法は複数セルの場合に応用可能であることは、容易に理解される。２つのセルの場合と類似して、複数セル（例えば、Ｎ個のセル）の場合においては、Ｎ−１個のセルのリソースブロック中にのみ付加ＤＭ−ＲＳを設置することにより、Ｎ個のセルそれぞれからの受信電力を取得することができる。図６（ｂ）に示すように、Ｎ個のセルの場合において、図４（ｂ）中のステップＳ４１’〜Ｓ４４’と完全に同一のステップＳ６０１’〜Ｓ６０４’によりいずれかの単独のセル（例えば、第１セル）の受信電力を検出した後に、以下のステップにより他のＮ−１個のセルの受信電力を検出することが可能である。具体的には、ステップＳ６０５’では、第１セルを除いたＮ−１個のセルのうちのそれぞれのために、受信電力を検出するための１つの基準セルを選択する。ステップＳ６０６’では、第１セルを除いたＮ−１個のセルの中から、Ｎ−２個のセルを任意に選択する。ステップＳ６０７’では、任意に選択したＮ−２個のセルのうちのそれぞれについて、当該セルのリソースブロックにおいてそのセルのために選択された基準セルのリソースブロック中の１つのＣＳＩ−ＲＳに対応するパンクチャリング位置に付加復調参照信号を設置する（ステップＳ６０１’において第１セルに付加ＤＭ−ＲＳを設置しており、ステップＳ６０７’において他のＮ−２個のセルのみに付加ＤＭ−ＲＳを設置しているため、合計Ｎ個のセルにおいて、Ｎ−１個のセルにのみ付加ＤＭ−ＲＳを設置している）。ステップＳ６０８’では、任意に選択したＮ−２個のセルのうちのそれぞれについて、受信端末はそのセルのリソースブロック中の付加ＤＭ−ＲＳが設置されている位置において伝送された信号を検出する。ステップＳ６０９’では、任意に選択したＮ−２個のセルのうちのそれぞれについて、受信端末はそのセルのために選択された基準セルのリソースブロック中に設置されたもう１つのＣＳＩ−ＲＳの位置において伝送された信号を検出する。ステップＳ６１０’では、任意に選択したＮ−２個のセルのうちのそれぞれについて、ステップＳ６０８’において検出された信号からステップＳ６０９’において検出された信号を除去するとともに、こうして得られた信号に基づいて当該セルの受信電力を取得する。ステップＳ６１１’では、Ｎ個のセルそれぞれのリソースブロック中の対応位置に設置された固有のＤＭ−ＲＳを検出して、Ｎ個のセルからの総受信電力を取得し；ステップＳ６１２’では、総受信電力からステップＳ６０４’において取得された第１セルからの受信電力を減じ、さらにステップＳ６１０’において取得された任意に選択したＮ−２個のセルからの受信電力を減じることにより、Ｎ個のセルのうちの残りの１つのセル（すなわち、そのリソースブロック中に付加ＤＭ−ＲＳが設置されていないセル）の受信電力を取得する。 ステップＳ６０５’において、第１セルを除いたＮ−１個のセルのうちのそれぞれのために、受信電力を検出するための１つの基準セルを選択した際には、同様に実施例２で開示した原則を守ることが可能であることは、容易に想到される。
【００２４】
本実施例においては、付加ＤＭ−ＲＳは、全部でＮ個のセルのうちのＮ−１個のセルのみのリソースブロック中のパンクチャリング位置に付加ＤＭ−ＲＳを設置するため、実施例２と比較して、本実施例はシステムオーバーヘッドをさらに低減している。
【００２５】
（実施例４）
実施例３ではシステムオーバーヘッドをさらに低減しているが、依然として不十分である。例えば、図５に示すように、付加ＤＭ−ＲＳは、セル１のリソースブロック１においてリソースブロック２中のＣＳＩ−ＲＳに対応してパンクチャリングを行う位置にのみ位置している。この付加ＤＭ−ＲＳを検出するためには、端末は先にセル２のＣＳＩ−ＲＳを検出する必要がある。このように、実施例３では、セル１の受信電力に対する測定は、セル２のＣＳＩ−ＲＳに対する測定にかかっている。実際の無線環境下では、セル２のチャネル状態が悪ければ、セル２のＣＳＩ−ＲＳに基づいてセル１の受信電力を検出する精度は影響を受ける。この問題を解決するために、本発明の実施例４を提起する。
【００２６】
図７は、本発明の実施例４による受信電力検出方法における、セルで用いられるリソースブロック中での参照信号の例示的な設置状況を示している。図５と図７とを比較すると、以下のことが理解できる：図５においては、付加ＤＭ−ＲＳをセル１のリソースブロック中に固定的に設置している；それに対し、図７においては、時刻１では、付加ＤＭ−ＲＳをセル１のリソースブロック中に設置し、時刻２では、付加ＤＭ−ＲＳをセル２のリソースブロック中に設置している。このように、当該実施例においては、時間の変化にともなって、付加ＤＭ−ＲＳはセルのチャネル状況に基づいてセル間で切換えて設置することが可能であり、これにより、あるセルのチャネルが悪いことにより全体の電力測定に生じる影響を低減することが可能である。
【００２７】
本発明の実施例４の受信電力検出方法は、図６（ａ）を組み合わせて説明した本発明の実施例３の受信電力検出方法と同様である。例えば図７中に示す状況については、時刻１および２で、図６（ａ）中に示すような受信電力検出方法を用いてセル１およびセル２の受信電力を検出することが可能である。付加ＤＭ−ＲＳを時間にともなってセル間で切換えて設置することを実現するために、図６（ａ）のステップＳ６０１において、少なくとも１つのリソースブロックに含まれる時間リソースを単位として、リソースブロック１におけるパンクチャリング位置に付加ＤＭ−ＲＳを設置するか、それともリソースブロック２におけるパンクチャリング位置に付加ＤＭ−ＲＳを設置するかを選択することが可能である。
【００２８】
（実施例５）
実施例４において説明した受信電力検出方法も、複数セルの状況に応用することが可能であり、かつ、このために本発明の実施例５を提起する。
【００２９】
図８は、３つのセルを例に、本発明の実施例５による受信電力検出方法における、セルで用いられるリソースブロック中での参照信号の例示的な設置状況を示している。図８に示すように、いずれの時刻でも、３つのセルのうち２つのセルのみについて前記付加ＤＭ−ＲＳを設置する。具体的には、時刻１では、セル１およびセル２に対する付加ＤＭ−ＲＳの設置を選択し；時刻２では、セル１およびセル３のみについて付加ＤＭ−ＲＳを設置し；時刻３では、セル２およびセル３のみについて付加ＤＭ−ＲＳを設置する。このように、当該実施例においては、付加ＤＭ−ＲＳは時間にともなってセル間で切換えて設置することが可能であり、これにより、あるセルのチャネルが悪いことにより全体の電力測定に生じる影響を低減することが可能である。
【００３０】
本発明の実施例５の受信電力検出方法は、図６（ｂ）を組み合わせて説明した本発明の実施例３の受信電力検出方法と同様である。例えば図８中に示す状況については、時刻１〜３のいずれにおいても、図６（ｂ）中に示すような受信電力検出方法を用いてセル１〜３それぞれの受信電力を検出することが可能である。付加ＤＭ−ＲＳを時間にともなってセル間で切換えて設置することを実現するために、図６（ｂ）のステップＳ６０６’において、少なくとも１つのリソースブロックに含まれる時間リソースを単位として、第１セルを除いたＮ−１個のセルの中から任意に選択するＮ−２個のセルを変更することが可能である。
【００３１】
（実施例６）
例えばＬＴＥ−ＡのＯＦＤＭに基づくマルチアンテナ無線通信システムにおいて、それぞれのセルには８つのアンテナポートが存在し、この８個のアンテナポートはいずれも上述した時間周波数リソースが同一であるリソースブロックを用いてデータを端末に送信する。各アンテナポートが用いるリソースブロック中には対応セルの少なくとも２つのＣＳＩ−ＲＳがそれぞれ設置されており、かつ、各セルの各アンテナポートのＣＳＩ−ＲＳは直交している。
【００３２】
本発明の上述した各実施例はいずれも上述した複数アンテナポートの状況に応用することが可能である。例えば、いずれか１つのセルの１つのアンテナポートについては、そのリソースブロックにおいて他のセルのあるアンテナポートのリソースブロック中の１つのＣＳＩ−ＲＳに対応するパンクチャリング位置に、受信電力を表すための付加ＤＭ−ＲＳを設置することが可能であり；その後、受信端末において、検出されたＣＳＩ−ＲＳとＤＭ−ＲＳとの混合信号から干渉を受けていないＣＳＩ−ＲＳを除去することにより、前記いずれか１つのセルからの受信電力を取得することが可能である。説明が必要なのは、１つのアンテナポートにおける１つのパンクチャリング位置に付加ＤＭ−ＲＳを設置すると、当該アンテナポートが属するセルにおける他のアンテナポートも同時にそれぞれのリソースブロック中の同一のパンクチャリング位置において付加ＤＭ−ＲＳが設置される、ということである。
【００３３】
先に述べた各実施例に記載の方法を応用して１つのセルにおける複数のアンテナポートに付加ＤＭ−ＲＳを設置する際には、ある他のセルの１つのアンテナポートのＣＳＩ−ＲＳに対応するパンクチャリング位置において付加ＤＭ−ＲＳを設置するだけでよく、前記他のセルの全てのアンテナポートの各ＣＳＩ−ＲＳに対応するパンクチャリング位置において付加ＤＭ−ＲＳを設置する必要はない。従って、１つのセルにおける複数のアンテナポートについて、ある他のセルのアンテナポートｉのＣＳＩ−ＲＳに対応するパンクチャリング位置において付加ＤＭ−ＲＳを設置する際には、受信端末の当該ＤＭ−ＲＳに対する推定精度は、実際にはアンテナポートｉに対するＣＳＩ−ＲＳの推定精度にかかっている。こうして、実施例３において提起した問題と類似の、アンテナポートｉのＣＳＩ−ＲＳが悪いチャネル伝送条件を経る際には、受信電力の検出に影響が生じるという問題が出現する可能性がある。この種の影響を低減するために、本発明の実施例６を提起する。
【００３４】
本発明の実施例６によれば、１つのセルにおける複数のアンテナポートに付加ＤＭ−ＲＳを設置する際には、時間の変化にともなって、ある他のセルの異なるアンテナポートのＣＳＩ−ＲＳに対応する複数のパンクチャリング位置上で前記付加ＤＭ−ＲＳを切換えて設置する。図９は、本発明の実施例６による、同一セルの異なるアンテナポートのＣＳＩ−ＲＳに対応する複数のパンクチャリング位置上での付加ＤＭ−ＲＳの切換設置を示す概略図である。図９中には、可能な２種類のＣＳＩ−ＲＳの多重方法にそれぞれ対応する、可能な２種類の切換設置方式を示す。一つの多重方法は、同一セルの異なるアンテナポートからのＣＳＩ−ＲＳが全て同一のリソースブロック上に多重される方法であり、もう一つの多重方法は、例えばリソースブロックに基づいたＴＤＭ多重のように、同一セルの異なるアンテナポートからのＣＳＩ−ＲＳが異なるリソースブロック上に多重される方法である。ただし、どちらのＣＳＩ−ＲＳの多重方式を用いるかに関わらず、実施例６は実行可能であり、換言すれば、時間にともなって同一セルの異なるポートのＣＳＩ−ＲＳに対応する複数のパンクチャリング位置上で付加ＤＭ−ＲＳを切換設置する。
【００３５】
（実施例７）
先に述べたように、本発明の実施例４および実施例５においては異なるセル間で付加ＤＭ−ＲＳを切換設置することを説明し、実施例６においては同一セルの異なるアンテナポートのＣＳＩ−ＲＳに対応するパンクチャリング位置上で付加ＤＭ−ＲＳを切換設置することを説明した。実際の状況においては、実施例４または実施例５と実施例６とを組み合わせることにより、本発明の実施例７を得ることが可能である。
【００３６】
図１０は、２つのセルを例に、本発明の実施例７による、異なるセル、および同一セルの異なるアンテナポートに対応するパンクチャリング位置上での付加ＤＭ−ＲＳの切換設置を示す概略図である。図１０に示すように、時刻１では、セル１のリソースブロック中のセル２のポートｉのＣＳＩ−ＲＳに対応するパンクチャリング位置において付加ＤＭ−ＲＳを設置し；時刻２では、セル２のリソースブロック中のセル１のポートｉ＋１のＣＳＩ−ＲＳに対応するパンクチャリング位置において付加ＤＭ−ＲＳを設置し；時刻３では、セル１のリソースブロック中のセル２のポートｉ＋２のＣＳＩ−ＲＳに対応するパンクチャリング位置において付加ＤＭ−ＲＳを設置する。このことから、異なる時刻に、異なるセルおよび当該異なるセルのリソースブロック中の他のセルの異なるアンテナポートのＣＳＩ−ＲＳに対応するパンクチャリング位置において付加ＤＭ−ＲＳを切換設置して、最大の選択ダイバーシチのゲインを取得することが理解できる。
【００３７】
本発明の実施例７は、複数セル（例えば、Ｎ個のセル）の状況に適用可能である。類似的に、複数セルの状況では、いずれかの時刻に、Ｎ−１個のセルそれぞれのリソースブロックにおいて他のセルのあるアンテナポートのＣＳＩ−ＲＳに対応するパンクチャリング位置上で付加ＤＭ−ＲＳを設置する。これにより、異なる時刻に、異なるＮ−１個のセルに付加ＤＭ−ＲＳを設置し、かつ、前記Ｎ−１個のセルのうちのそれぞれのセルについて、１つの他のセルの異なるポートのＣＳＩ−ＲＳに対応する複数のパンクチャリング位置上で前記付加復調参照信号を切換設置する。いずれかの時刻に、本発明の実施例３による受信電力検出方法を応用することにより、Ｎ個のセルのうちのそれぞれのセルについての受信電力の検出が可能であることは容易に理解される。
【００３８】
（実施例８）
本発明の実施例７によれば、いずれかの時刻に、Ｎ個のセルのうちのＮ−１個のセルに付加ＤＭ−ＲＳを設置する。しかしながら、チャネル状態はいくつかの時刻で大きく変化しない可能性があるため、実際には、これらいくつかの時刻において、Ｎ−１個より少ないセルに付加ＤＭ−ＲＳを設置することが可能である。このために、本発明の実施例８を提起する。
【００３９】
図１１は、３つのセルを例に、本発明の実施例８による、異なるセル、および同一セルの異なるアンテナポートに対応するパンクチャリング位置上での付加ＤＭ−ＲＳの切換設置を示す概略図である。チャネル状態が時刻ｔおよび時刻ｔ＋１において大きく変化しないと仮定すると、図１１に示すように、時刻ｔでは、セル１のリソースブロック中のセル２のポートｉに対応するパンクチャリング位置においてのみ付加ＤＭ−ＲＳを設置し；時刻ｔ＋１では、セル２のリソースブロック中のセル１のポートｉ＋１に対応するパンクチャリング位置においてのみ付加ＤＭ−ＲＳを設置する。つまり、チャネル状態が大きく変化しないいくつかの時刻では、異なる多くともＮ−２個のセルに付加ＤＭ−ＲＳを設置し、かつ、当該多くともＮ−２個のセルのうちのそれぞれについて、そのリソースブロックにおいて１つの他のセルの異なるアンテナポートのＣＳＩ−ＲＳに対応する複数のパンクチャリング位置で付加ＤＭ−ＲＳを切換設置する。
【００４０】
いくつかの時刻でセルのチャネル状態の変化は大きくないため、前の時刻のあるセルからの受信電力は、後の時刻の当該セルからの受信電力とすることが可能であり、これにより、いずれかの時刻に、本発明の実施例３による受信電力検出方法を応用してＮ個のセルのうちのそれぞれからの受信電力を検出することが可能であることは、容易に理解される。例えば、図１１において示す状況について、まず本発明の実施例３を応用して時刻ｔでのセル１からの受信電力、および時刻ｔ＋１でのセル２からの受信電力を検出することが可能である。時刻ｔおよびｔ＋１では、チャネル状態は大きく変化しないため、時刻ｔ＋１でのセル２からの受信電力を時刻ｔでのセル２からの受信電力とし、さらに、本発明の実施例３を応用して時刻ｔのセル３からの受信電力を取得することが可能である。類似的に、時刻ｔ＋１でも、各セルからの受信電力を取得することが可能である。
【００４１】
実施例７と比較して、実施例８はシステムオーバーヘッドをさらに低減している。
【００４２】
（実施例９）
上の実施例はいずれも、複数の基地局が１つのユーザ端末にデータを送信することを例に説明しているが、実際には、複数の端末がいずれもジョイント伝送モード下にあり、かつ同一の無線リソース、時間、周波数および基地局を用いることも可能である。この場合、基地局はリソースの共有を実現するために、これらの端末のスケジューリングを行う必要がある。
【００４３】
例えばＬＴＥ−Ａの、ＯＦＤＭに基づいたマルチアンテナシステムにおいては、ＣＳＩ−ＲＳはそれぞれのリソースブロック上に出現するわけではない。例えば、時間および周波数上で、ＣＳＩ−ＲＳはいくつかのリソースブロックおきに、１つのリソースブロック上に出現する。従って、複数端末が上述の付加ＤＭ−ＲＳを用いて受信電力を検出する際は、問題に直面する可能性がある。本実施例はこの問題について１つの解決手段を示す。図１２に示すように、本実施例においては、同一セルの異なるポートからのＣＳＩ−ＲＳを異なるリソースブロック上に時間分割（周波数分割）多重するとともに、異なる端末を、あるポートを含むＣＳＩ−ＲＳリソースブロック上にスケジューリングする。その後、各端末は上の実施例に記載の受信電力検出方法によって電力の測定を実現することが可能である。
【００４４】
以上、複数の実施例により、本発明の受信電力検出方法について説明した。以下では受信電力検出方法を応用した無線通信システムについて説明する。図１３は、本発明の実施例の受信電力検出方法を応用した無線通信システムにおける関連装置の図示である。先に述べたように、当該無線通信システム中には複数の隣接セルが含まれ、各隣接セルの基地局は、時間周波数リソースが互いに同一であるリソースブロックを用いて、当該無線通信システム中の受信端末にデータを伝送し、ここで、それぞれのリソースブロック中には対応セルの複数のＣＳＩ−ＲＳが設置されており、かつ、各セルのＣＳＩ−ＲＳ間は直交性が保たれている。
【００４５】
図１３に示すように、無線通信システム中の基地局１００は、基地局１００が用いるリソースブロックにおける、無線通信システム中のもう１つの基地局（例えば、基地局１１０）が用いるリソースブロック中の１つのＣＳＩ−ＲＳに対応するパンクチャリング位置に、付加ＤＭ−ＲＳを設置するためのＤＭ−ＲＳ割当手段１０１と；ＤＭ−ＲＳ割当手段１０１からのリソースブロックを用いて受信端末２００にデータを伝送するための送信手段１０２と、を含む。説明が必要なのは、上述のように、基地局１１０が用いるリソースブロック中には複数のＣＳＩ−ＲＳが設置されているため、基地局１００が用いるリソースブロック中には、対応して複数のパンクチャリング位置がある、ということである。付加ＤＭ−ＲＳを設置する際には、ＤＭ−ＲＳ割当手段１０１は複数のパンクチャリングの中から任意の１つのパンクチャリング位置を選択して設置する。
【００４６】
受信端末２００は、基地局１００からのリソースブロック中の付加ＤＭ−ＲＳが設置されている位置において伝送された信号（すなわち、付加ＤＭ−ＲＳと基地局１１０のＣＳＩ−ＲＳとの混合信号）を検出し、基地局１１０が用いるリソースブロック中に設置されたもう１つのＣＳＩ−ＲＳの位置において伝送された信号（すなわち、干渉を受けていないＣＳＩ−ＲＳ）を検出するための電力検出手段２０１と；混合信号から干渉を受けていないＣＳＩ−ＲＳを除去するとともに、これによって得られた信号に基づいて基地局１１０からの受信電力を取得するための受信電力取得手段２０２と、を含む。
【００４７】
また、無線通信システム中には複数の基地局および複数の受信端末を含み、かつ、それぞれの基地局および受信端末は、当該上記と同一の構成をそれぞれ具備することが可能である。従って、受信端末は複数の基地局のそれぞれからの受信電力を取得することが可能である。
【００４８】
本発明の一実施例による上記の無線通信システムにおける基地局および受信端末の具体的な構成は、本発明の範囲を制限するものではなく、例示的な説明に過ぎず、いくつかの手段が省略されたり、いくつかの手段の機能が一つの手段に合併されて実行されたり、いくつかの手段の機能がより小さい複数の手段に分割されて実行されたりすることが可能である。
【００４９】
本願における上記の各実施例は実例としての記述に過ぎず、各実施例の具体的な構成および動作は、本発明の範囲を制限するものではなく、当業者は上記の各実施例における異なる部分や動作を組み合わせ直して、新たな実施の方式を生み出すことが可能であり、同様に本発明の思想に適合している。
【００５０】
本発明の実施例は、ハードウェア、ソフトウェア、ファームウェアおよびそれらの組み合わせの方式で実現されうるが、実現方式は本発明の範囲を制限するものではない。
【００５１】
本発明の実施例における各機能素子（手段）相互の間の接続関係は、本発明の範囲を制限するものではなく、このうち一つまたは複数の素子は、他の任意の機能素子を含んだり、他の任意の機能素子に接続したりしてもよい。
【００５２】
上記では図面を組み合わせて本発明のいくつかの実施例を示し、説明したが、本発明の原則および精神を逸脱することなしに、これらの実施例について変更および修正を行うことが可能であって、依然として本発明の請求の範囲およびその等価物の範囲内におさまることは、当業者にとって自明である。
【図１】
0005417527.tif 000002
【図２】
0005417527.tif 000003
【図３】
0005417527.tif 000004
【図４（ａ）】
0005417527.tif 000005
【図４（ｂ）】
0005417527.tif 000006
【図５】
0005417527.tif 000007
【図６（ａ）】
0005417527.tif 000008
【図６（ｂ）】
0005417527.tif 000009
【図７】
0005417527.tif 000010
【図８】
0005417527.tif 000011
【図９】
0005417527.tif 000012
【図１０】
0005417527.tif 000013
【図１１】
0005417527.tif 000014
【図１２】
0005417527.tif 000015
【図１３】
0005417527.tif 000016